(57)【特許請求の範囲】
【請求項１】
熱源機に温水床マットを接続し、この温水床マットにより暖房制御される被調和室にはリモコン装置を固定し、このリモコン装置に付設された温度センサからの温度情報に基づいて前記熱源機の運転を制御する床暖房システムにおける床暖房制御用リモコンにおいて、
前記リモコン装置を被調和室に固定されたワイヤードのリモコンベースと、このリモコンベースに着脱自在に取り付けられたワイヤレスのリモコン本体とで構成し、このリモコン本体には前記温度センサを設けると共に、この温度センサからの温度情報を送信する送信部を設け、前記リモコンベースには前記送信部からの温度情報を受信する受信部を設けたことを特徴とする床暖房制御用リモコン。
【請求項２】
前記床暖房システムが通常運転される時、前記リモコン本体は前記リモコンベースに取り付けられ、前記温度センサは室温を検知することを特徴とする請求項１に記載の床暖房制御用リモコン。
【発明の詳細な説明】
【０００１】
【発明の属する技術分野】
本発明は、床暖房システムにおける床暖房制御用リモコンに関する。
【０００２】
【従来の技術】
一般に、図８に示すように、温水床マット１００によって暖房制御される被調和室の壁面１０３にワイヤードのリモコン装置１０１を固定し、このリモコン装置１０１に付設された温度センサ（図示せず）からの室温・温度情報に基づいて例えば室外に設置された熱源機（図示せず）の運転を制御する床暖房システムは知られている。１０２は温水床マット１００の温水配管である。この種の床暖房システムでは温水床マット１００の敷設時に試運転が行われる。この試運転は温水配管１０２に温水が正しく供給されるかどうか、すなわち熱源機及び配管系統に異常がないかをチェックするために行われる。
【０００３】
従来、試運転時には温水配管１０２上に床温度検出素子１０５を設置し、この床温度検出素子１０５の接続コード１０６をリモコン１０１に接続して、温水配管１０２の温度を検知することにより、当該温水配管１０２に温水が正しく供給されるかどうかをチェックすることが行われている。
【０００４】
【発明が解決しようとする課題】
しかしながら、従来の構成では、試運転時に床温度検出素子１０５を準備しなければならず、試運転作業が繁雑になるという問題がある。
【０００５】
また、従来の構成では、床温度検出素子１０５を使用するために、接続コード１０６の届く範囲でしか床温度を検出することができず、結果的には、リモコン１０１の設置場所が限定されるという問題がある。
【０００６】
本発明は、上記状況に鑑みなされたもので、試運転時に別途床温度検出素子を準備する必要がなく、しかもリモコンの設置場所が限定されることのない床暖房制御用リモコンを提供するものである。
【０００７】
【課題を解決するための手段】
上記課題を解決するために、請求項１の発明では、熱源機に温水床マットを接続し、この温水床マットにより暖房制御される被調和室にはリモコン装置を固定し、このリモコン装置に付設された温度センサからの温度情報に基づいて前記熱源機の運転を制御する床暖房システムにおける床暖房制御用リモコンにおいて、前記リモコン装置を前記被調和室に固定されたワイヤードのリモコンベースと、このリモコンベースに着脱自在に取り付けられたワイヤレスのリモコン本体とで構成し、このリモコン本体には前記温度センサを設けると共に、この温度センサからの温度情報を送信する送信部を設け、前記リモコンベースには前記送信部からの温度情報を受信する受信部を設けたものである。
【０００８】
請求項１に記載の発明では、温水床マットの敷設時に、温水床マットに温水が正しく供給されるかどうかの試運転を行う場合に、被調和室に固定されたワイヤードのリモコンベースからリモコン本体を取り外して、このリモコン本体を温水床マットの上に配置する。温水床マットに正しく温水が供給されれば、その温度をリモコン本体の温度センサが検出し、この温度センサからの温度情報がリモコン本体の送信部を介してリモコンベースに送信され、リモコンベースの受信部に受信され、この受信された温度情報に従って、熱源機の運転が制御される。
【０００９】
これによれば、試運転時に別途床温度検出素子を準備する必要がなく、しかもワイヤレスで床の温度情報が送受信されるので、床の任意の場所の床温度を検出することができ、リモコン装置の設置場所に制約を受けることがない。
【００１０】
請求項２に記載の発明は、請求項１に記載の発明において、前記床暖房システムが通常運転される時、前記リモコン本体は前記リモコンベースに取り付けられ、前記温度センサは室温を検知することを特徴とするものである。
【００１１】
請求項２に記載の発明では、試運転が終わって通常運転を行う場合には、リモコン本体をリモコンベースに固定することによって、このリモコン本体の温度検出センサが室温を検知することになる。
【００１２】
【発明の実施の形態】
以下、本発明の一実施形態を図面に基づいて詳細に説明する。
【００１３】
図１は本発明に係る温水式暖房装置を示す。３０は熱源機を示し、この熱源機３０には、低温暖房用の温水床マット１１と高温暖房用の温水エアコン４とが接続されている。上記熱源機３０には温水タンク５が収容されている。この温水タンク５には管路６ａを介して温水循環用ポンプ７が接続され、この温水循環用ポンプ７には管路６ｂを介して熱交換器１が接続されている。
【００１４】
この熱交換器１にはガスバーナ２が付設され、このガスバーナ２による燃焼熱は燃焼ファン２２により熱交換器１に供給されて、当該熱交換器１内の温水が加熱される。この熱交換器１には管路６ｃを介して高温側負荷の温水エアコン４が接続されている。この管路６ｃには熱交換器１で加熱された温水の一部を温水タンク５に戻すためのバイパス管路２１が接続され、このバイパス管路２１は管路６ｄに接続され、この管路６ｄは温水タンク５に接続されている。以上は、高温暖房用温水回路を構成している。温水循環用ポンプ７の出側の管路６ｂには管路６ｅを介して温水制御弁１０が接続され、この温水制御弁１０の各熱動弁１０Ａ、１０Ｂには、低温側負荷としての複数の温水床マット１１がそれぞれ接続されている。これらは低温暖房用温水回路を構成している。
【００１５】
熱源機３０には、低温暖房時の温水の温度を検知する低温暖房制御用のサーミスタ（温度センサ）８と、高温暖房時の温水の温度を検知する高温暖房制御用のサーミスタ（温度センサ）２５とが設けられている。低温暖房制御用のサーミスタ８は、温水循環用ポンプ７の出口側の管路６ｂに設けられ、例えば６０°Ｃの低温の温水の温度を検知する。この低温の温水は、温水タンク５から温水循環ポンプ７を介して送られ、熱交換器１を通らずに、管路６ｅおよび温水床マット１１を通って温水タンク５に戻される。高温暖房制御用のサーミスタ２５は、熱交換器１の出口側の管路６ｃに設けられ、例えば８０°Ｃの高温の温水温度を検知する。この高温の温水は、熱交換器１で加熱された後、管路６ｃおよび温水エアコン４を通って温水タンク５に戻される。前記ガスバーナ２には燃料管路１７を介して燃料が供給される。この燃料管路１７には、ガス比例弁１６、ガス電磁弁１８および元ガス電磁弁１９等が接続される。符号１３は温水タンク５内に配置した水位電極、符号１４は温水タンク５に水を導く給水管路で、自動給水装置となる注水電磁弁１５を備えている。
【００１６】
２０はリモコン装置であり、接続コード４４を介して、熱源機３０の制御基板ＣＢに電気的に接続されている。
【００１７】
このリモコン装置２０は、図２に示すように、被調和室の壁面４３に固定されたワイヤードのリモコンベース４１と、このリモコンベース４１に着脱自在に取り付けられるワイヤレスのリモコン本体４２とで構成される。これらはリモコンベース４１のカップラ４８とリモコン本体４２のカップラ４９（図３）とを介して電気的に接続される。リモコン本体４２には、図４に示すように、取付板５０とスリット５１とが形成され、取付板５０にはサーミスタからなる感温素子（温度センサ）４６が取り付けられる。また、リモコン本体４２には、図５に示すように、前記カップラ４９、感温素子４６、処理部６１、バックアップ用の電池６２のほか、赤外線発光部（送信部）４５が設けられる。感温素子４６からの温度情報は赤外線発光部４５を介してリモコンベース４１に送信される。このリモコンベース４１には、前記カップラ４８、処理部４１Ａのほか、赤外線発光部４５からの温度情報を受信する赤外線受光部（受信部）４７が設けられる。尚、６０は温水床マット１１における温水配管である。
【００１８】
次に、図６を参照して床暖房システムの試運転について説明する。
【００１９】
この実施形態による試運転は、温水床マット１１の敷設時に、温水床マット１１に温水が正しく供給されるかどうかをチェックする運転である。
【００２０】
試運転を行う場合には（Ｓ１）、被調和室に固定されたワイヤードのリモコンベース４１からリモコン本体４２を取り外すと、図示しないリモコン着脱スイッチがオンする（Ｓ２）。工事作業者は、熱源機３０に配置された試運転スイッチをオンにし、リモコン本体４２を、図２に示すように、温水床マット１１の温水配管６０上に設置する。次に、所定時間（例えば２０秒）経過後（Ｓ３）、感温素子４６を介して床温度を検知し、この温度情報を処理部６１に入力し（Ｓ４）、この入力した温度情報を、赤外線発光部４５からリモコンベース４１の赤外線受光部４７にワイヤレス送信する（Ｓ５）。赤外線受光部４７からの温度情報は接続コード４４を介して制御基板ＣＢに送られ、この制御基板ＣＢは熱源機３０の運転を制御する。温水配管６０に温水が正しく供給されていれば、すなわち熱源機３０及び配管系統に異常がなければ、例えば２０秒経過後毎の検知の何度目かに、床温度は所定温度にまで上昇するはずであり、所定温度にまで上昇すれば、試運転終了と判断されて（Ｓ６）、その後に、試運転は終了する。
【００２１】
これによれば、リモコン本体４２に内蔵された感温素子４６を、試運転時には床温度の検出に用いることができるので、従来必要であった専用の床温度検出素子やそれを接続するリード線等が不要になり、コストダウンおよび試運転時の温度検知の利便性を改善することができる。また、ワイヤレスで床の温度情報が送受信されるので、任意の場所の床温度を検出することができ、リモコン装置２０の設置場所に制約を受けることがない。
【００２２】
通常の運転を行う場合には、図７に示す処理フローに従う。
【００２３】
床暖房を開始した後（Ｓ１１）、リモコンベース４１からリモコン本体４２が取り外されると（Ｓ１２）、リモコン本体４２の置かれた場所での温度が感温素子４６により検知される（Ｓ１３）。そして、この検知した温度情報が処理部６１に入力され（Ｓ１４）、赤外線受発光部４５からリモコンベース４１の赤外線受発光部４７に送信され（Ｓ１５）、このルーチンは床暖房が終了するまで繰り返される（Ｓ１６、Ｓ１７）。一方、Ｓ１２にてリモコンベース４１からリモコン本体４２が取り外されていない場合には、リモコンベース４１の固定された場所での温度が感温素子４６により検知される（Ｓ１８）。そして、この検知した温度情報が処理部６１に入力され（Ｓ１９）、赤外線受発光部４５からリモコンベース４１の赤外線受発光部４７に送信され（Ｓ２０）、このルーチンは床暖房が終了するまで繰り返される（Ｓ１６、Ｓ１７）。尚、Ｓ２０では、送信される温度情報は、図５に示すように、処理部６１から電気的接続用カップラ４８，４９を介して直接リモコンベース４１の処理部４１Ａ側に送信され、接続コード４４を介して制御基板ＣＢに送られる。
【００２４】
これによれば、リモコンベース４１に対してリモコン本体４２が固定されたままでも、取り外された状態でも、感温素子４６により室温が検出され、この温度情報により、床暖房制御が行われる。
【００２５】
以上で具体的実施形態の説明を終えるが、本発明は上述した実施形態に限定されるものではない。例えば、上記実施形態では、床温度情報の受送信部として赤外線受発光部を用いているが、赤外線に限らず超音波による床温度情報の受送信を行っても構わない。また、温水床マットの数は１つ、２つあるいは４つ以上であっても、床温度をワイヤレス通信で簡単に検知することができる。
【００２６】
【発明の効果】
以上述べたように、請求項１の発明では、試運転時に別途床温度検出素子を準備する必要がなく、しかもワイヤレスで床の温度情報が送受信されるので、床の任意の場所の床温度を検出することができ、リモコン装置の設置場所に制約を受けることがない。
【００２７】
請求項２に記載の発明では、試運転が終わって通常運転を行う場合には、リモコン本体をリモコンベースに固定することによって、このリモコン本体の温度検出センサにより室温を検知でき、この室温を床暖房に利用することができる。
【図面の簡単な説明】
【図１】本発明による床暖房制御用リモコンの一実施形態を示す概略構成図である。
【図２】リモコンベースおよびリモコン本体を示す説明図である。
【図３】リモコン本体を示す斜視図である。
【図４】リモコン本体の感温素子近辺を示す要部斜視図である。
【図５】リモコン装置を用いた床暖房システムのブロック図である。
【図６】試運転時の処理を示すフローチャートである。
【図７】通常運転時の処理を示すフローチャートである。
【図８】従来の床暖房制御用リモコンを示す説明図である。
【符号の説明】
１１  温水床マット
２０  リモコン装置
３０  熱源機
４１  リモコンベース
４２  リモコン本体
４５  赤外線発光部（床温度情報送信部）
４６  感温素子（温度センサ）
４７  赤外線受光部（床温度情報受信部）
【図１】
0003744657.tif 000002
【図２】
0003744657.tif 000003
【図３】
0003744657.tif 000004
【図４】
0003744657.tif 000005
【図５】
0003744657.tif 000006
【図６】
0003744657.tif 000007
【図７】
0003744657.tif 000008
【図８】
0003744657.tif 000009